(57)【要約】【課題】  学校の生徒等による不適切なプリント注文に基づくプリント作成を簡単かつ確実に防止することができるプリント注文承認システム及びプリント注文承認方法の提供。【解決手段】  学校の生徒等の注文者２と、該生徒の親権者等の承認者５と、写真を撮影する写真撮影業者３と、注文に基づいて写真プリントを作成するラボ４とを備え、ラボ４では写真のフィルムを現像して見本写真を作成して写真プリント注文票と共に注文者２に提供し、注文者２は写真を選択して写真プリント注文票に注文情報を記入する。そして写真撮影業者３はプリント作成前に、注文端末３ａを用いて、各々の注文者２の承認者５にプリント料金、プリント枚数、プリントサイズ、写真特定情報等の注文情報を提供し、承認者５が注文を承認した場合にプリントを作成する。これにより、不適切なプリント注文に基づくプリント作成を防止する。【選択図】  図１
2005063006.tif 000002
【特許請求の範囲】
【請求項１】
第１の顧客が注文するプリント注文の注文情報を入力する入力手段と、
該入力手段により入力された前記注文情報を記憶する記憶手段と、
該記憶手段に記憶された前記注文情報を第２の顧客の端末へ送信する送信手段とを少なくとも有することを特徴とするプリント注文承認システム。
【請求項２】
第１の顧客が注文するプリント注文の注文情報を受信する受信手段と、
該受信手段により受信された前記注文情報を記憶する記憶手段と、
該記憶手段に記憶された前記注文情報を第２の顧客の端末へ送信する送信手段とを少なくとも有することを特徴とするプリント注文承認システム。
【請求項３】
前記入力手段により入力された前記注文情報又は前記受信手段により受信された前記注文情報に基づき、プリント料金を計算する料金計算手段を有し、
前記記憶手段は、該料金計算手段で計算されたプリント料金情報を記憶することを特徴とする請求項１又は２に記載のプリント注文承認システム。
【請求項４】
前記第２の顧客の端末から送信された前記プリント注文を承認するか否かの情報を受信する受信手段を有することを特徴とする請求項１乃至３のいずれか一に記載のプリント注文承認システム。
【請求項５】
前記第２の顧客の端末から送信された前記プリント注文の内容を変更する情報を受信する受信手段を有することを特徴とする請求項１乃至３のいずれか一に記載のプリント注文承認システム。
【請求項６】
前記入力手段で入力される前記注文情報又は前記受信手段で受信される前記注文情報の中に、プリント料金情報、プリント枚数情報、プリントサイズ情報、プリントがされる画像を特定する情報のいずれかが含まれることを特徴とする請求項１乃至５のいずれか一に記載のプリント注文承認システム。
【請求項７】
前記送信手段で送信する前記注文情報の中に、プリント料金情報、プリント枚数情報、プリントサイズ情報、プリントがされる画像を特定する情報のいずれかが含まれることを特徴とする請求項１乃至６のいずれか一に記載のプリント注文承認システム。
【請求項８】
前記第１の顧客は未成年の子供であり、前記第２の顧客は前記子供の親権者であることを特徴とする請求項１乃至７のいずれか一に記載のプリント注文承認システム。
【請求項９】
第１の顧客が注文するプリント注文の注文情報を入力する入力ステップと、
入力された前記注文情報を記憶する記憶ステップと、
記憶された前記注文情報を第２の顧客の端末へ送信する送信ステップとを少なくとも有することを特徴とするプリント注文承認方法。
【請求項１０】
第１の顧客が注文するプリント注文の注文情報を受信する受信ステップと、
受信された前記注文情報を記憶する記憶ステップと、
記憶された前記注文情報を第２の顧客の端末へ送信する送信ステップとを少なくとも有することを特徴とするプリント注文承認方法。
【請求項１１】
前記入力ステップで入力された前記注文情報又は前記受信ステップで受信された前記注文情報に基づき、プリント料金を計算するステップを有し、
前記記憶ステップでは、計算されたプリント料金情報を記憶することを特徴とする請求項９又は１０に記載のプリント注文承認方法。
【請求項１２】
前記第２の顧客の端末から送信された前記プリント注文を承認するか否かの情報を受信する受信ステップを有することを特徴とする請求項９乃至１１のいずれか一に記載のプリント注文承認方法。
【請求項１３】
前記第２の顧客の端末から送信された前記プリント注文の内容を変更する情報を受信する受信ステップを有することを特徴とする請求項９乃至１１のいずれか一に記載のプリント注文承認方法。
【請求項１４】
前記入力ステップで入力される前記注文情報又は前記受信ステップで受信される前記注文情報の中に、プリント料金情報、プリント枚数情報、プリントサイズ情報、プリントがされる画像を特定する情報のいずれかが含まれることを特徴とする請求項９乃至１３のいずれか一に記載のプリント注文承認方法。
【請求項１５】
前記送信ステップで送信される前記注文情報の中に、プリント料金情報、プリント枚数情報、プリントサイズ情報、プリントがされる画像を特定する情報のいずれかが含まれることを特徴とする請求項９乃至１４のいずれか一に記載のプリント注文承認方法。
【請求項１６】
前記第１の顧客は未成年の子供であり、前記第２の顧客は前記子供の親権者であることを特徴とする請求項９乃至１５のいずれか一に記載のプリント注文承認方法。
【発明の詳細な説明】
【技術分野】
【０００１】
本発明は、プリント注文承認システム及びプリント注文承認方法に関し、特に、学校写真におけるプリント注文承認システム及びプリント注文承認方法に関する。
【背景技術】
【０００２】
学校が企画する修学旅行、運動会、入学式、卒業式等の行事では、記念となる写真を失敗なく撮影するために、学校が写真撮影業者に撮影を依頼する方法が用いられる。この方法の場合、写真撮影業者は行事に同行して生徒が万遍なく写るようにスナップ写真や集合写真等を撮影し、行事終了後に撮影した写真を見本として提示し、生徒が希望する写真を学校単位でまとめて注文し、ラボにて一括してプリントが作成される。
【０００３】
具体的には、例えば、写真撮影業者が撮影した写真を見本としてパネルに貼り付けて掲示したり、アルバム状に整理して回覧し、生徒は見本写真パネルや見本写真アルバムを閲覧して購入する写真を選択し、写真プリント注文票に学校名や行事名、生徒名、注文年月日、写真の番号、枚数等の注文者や注文の内容を特定する情報を記入し、クラス単位や学校単位で一括して写真撮影業者に写真プリントの作成を依頼する。そして、写真撮影業者は回収した写真プリント注文票をラボ等のプリント生産店に送り、ラボでは写真プリント注文票に記載された注文内容を読み取って集計し、集計した結果に基づいてプリントを作成し、生徒毎に仕分けして注文袋に入れて注文者に送付するという手順で写真プリントが提供される。
【０００４】
また、注文の集計作業に要する時間を短縮し、注文内容の入力ミスを防止するために、注文内容をマークシートを用いて指定する方法もある。例えば、特開平８−２９３００９号公報には、１回の記入で注文できる注文番号を記入する欄と、注文番号を記入する欄及び記入した注文番号に対応する注文枚数を記入する欄とからなる欄の、少なくとも２つの欄を持つ学校写真注文用マークシートが開示されている。
【０００５】
【特許文献１】特開平８−２９３００９号公報（第４−６頁、第１図）
【発明の開示】
【発明が解決しようとする課題】
【０００６】
このような学校写真では、見本写真パネルや見本写真アルバムに掲示された見本写真のどれを何枚注文するかなどの注文内容は生徒自身が決定するが、写真プリントの代金は、通常、生徒の保護者（例えば、親権者）が支払うことになるため、保護者の意に反して、生徒が多数の写真プリントを注文してしまう場合もある。
【０００７】
ここで、所定の年齢に達した生徒（例えば、高校生など）の場合は、必要以上に多数の写真プリントを注文したり、間違った注文をするという事態は生じにくいが、年齢の低い生徒（例えば、小学生など）の場合は、興味本位に多数の写真プリントを注文したり、間違って注文情報を記入してしまう場合が起こり得る。このようなことから、不適切なプリント注文に基づくプリント作成を簡単かつ確実に防止することができるシステム及び方法の提案が望まれている。
【０００８】
本発明は、上記問題点に鑑みてなされたものであって、その主たる目的は、学校の生徒等による不適切なプリント注文に基づくプリント作成を簡単かつ確実に防止することができるプリント注文承認システム及びプリント注文承認方法を提供することにある。
【課題を解決するための手段】
【０００９】
上記目的を達成するため、本発明のプリント注文承認システムは、第１の顧客が注文するプリント注文の注文情報を入力する入力手段と、該入力手段により入力された前記注文情報を記憶する記憶手段と、該記憶手段に記憶された前記注文情報を第２の顧客の端末へ送信する送信手段とを少なくとも有するものである。
【００１０】
また、本発明のプリント注文承認システムは、第１の顧客が注文するプリント注文の注文情報を受信する受信手段と、該受信手段により受信された前記注文情報を記憶する記憶手段と、該記憶手段に記憶された前記注文情報を第２の顧客の端末へ送信する送信手段とを少なくとも有するものである。
【００１１】
本発明においては、前記入力手段により入力された前記注文情報又は前記受信手段により受信された前記注文情報に基づき、プリント料金を計算する料金計算手段を有し、前記記憶手段は、該料金計算手段で計算されたプリント料金情報を記憶する構成とすることができる。
【００１２】
また、本発明においては、前記第２の顧客の端末から送信された前記プリント注文を承認するか否かの情報を受信する受信手段を有する構成、又は、前記第２の顧客の端末から送信された前記プリント注文の内容を変更する情報を受信する受信手段を有する構成とすることもできる。
【００１３】
また、本発明においては、前記入力手段で入力される前記注文情報又は前記受信手段で受信される前記注文情報の中に、プリント料金情報、プリント枚数情報、プリントサイズ情報、プリントがされる画像を特定する情報のいずれかが含まれ、前記送信手段で送信する前記注文情報の中に、プリント料金情報、プリント枚数情報、プリントサイズ情報、プリントがされる画像を特定する情報のいずれかが含まれることが好ましい。
【００１４】
また、本発明においては、前記第１の顧客は未成年の子供であり、前記第２の顧客は前記子供の親権者であることが好ましい。
【００１５】
また、本発明のプリント注文承認方法は、第１の顧客が注文するプリント注文の注文情報を入力する入力ステップと、入力された前記注文情報を記憶する記憶ステップと、記憶された前記注文情報を第２の顧客の端末へ送信する送信ステップとを少なくとも有するものである。
【００１６】
また、本発明のプリント注文承認方法は、第１の顧客が注文するプリント注文の注文情報を受信する受信ステップと、受信された前記注文情報を記憶する記憶ステップと、記憶された前記注文情報を第２の顧客の端末へ送信する送信ステップとを少なくとも有するものである。
【００１７】
このように、本発明では、学校の生徒等が学校写真のプリント注文を行う場合に、プリント料金、プリント枚数、プリントサイズ、プリントする写真を特定する情報などの注文情報が生徒の親権者等に提供され、親権者が注文を承認した場合のみ写真プリントの作成が行われるため、親権者の了解無しで未成年の生徒が勝手にプリントを入手することができなくなり、不適切なプリント注文に基づくプリント作成を簡単かつ確実に防止することができる。
【発明の効果】
【００１８】
本発明のプリント注文承認システム及びプリント注文承認方法によれば、学校写真のように未成年の生徒がプリント注文する場合においても、不適切なプリント注文に基づくプリント作成を簡単かつ確実に防止することができる。
【００１９】
その理由は、生徒等が写真プリント注文票に注文情報を記入又は写真プリント注文画面に注文情報を入力した後、直ちに写真プリントが作成されるのではなく、注文者の親権者等の承認者に注文情報を送信し、承認者が承認した場合のみ写真プリントが作成されるからである。
【発明を実施するための最良の形態】
【００２０】
本発明に係るプリント注文承認システムは、その好ましい一実施の形態において、学校の生徒等の注文者と、該生徒の親権者等の承認者と、行事に同行し写真を撮影する写真撮影業者と、注文に基づいて写真プリントを作成するラボとを少なくとも備え、ラボでは、写真撮影業者が撮影した写真のフィルムを現像してパネル状又はアルバム状の見本写真を作成し、写真撮影業者を介して見本写真と写真プリント注文票とを注文者に提供し、注文者は見本写真パネル等を閲覧して写真を選択して写真プリント注文票に注文情報を記入する。そして、写真プリント注文票を回収した写真撮影業者又はラボはプリント作成を実行する前に、各々の注文者に対応する承認者に、プリント料金、プリント枚数、プリントサイズ、プリントする写真を特定する情報などの注文情報を提供し、承認者が注文を承認した場合にのみプリントを作成する。これにより、不適切なプリント注文に基づくプリント作成を簡単かつ確実に防止することができる。上記実施の形態についてさらに詳細に説明すべく、本発明の実施例について図面を参照して説明する。
【実施例１】
【００２１】
まず、本発明の第１の実施例に係るプリント注文承認システム及びプリント注文承認方法について、図１乃至図８を参照して説明する。図１は、第１の実施例に係るプリント注文承認システムの構成を模式的に示す図であり、図２は、注文端末の構成を示すブロック図である。また、図３は、写真プリントの注文及び承認手順を示すフローチャート図であり、図４は、見本写真の掲示例を示す図、図５は、写真プリント注文票の構成例を示す図である。また、図６乃至図８は、コード化情報を用いたプリント注文を行うために使用されるプリント注文票やコード化情報記録シール、見本写真パネル等の構成例を示す図である。
【００２２】
図１に示すように、本実施例のプリント注文承認システム１は、学校の行事に同行して写真を撮影すると共に注文端末３ａを用いてプリント注文を受け付ける写真撮影業者３と、撮影した写真のフィルムを回収し、見本写真をプリントして見本写真パネルや見本写真アルバムを作成したり、写真プリントの数焼きを行うラボ４と、提供された見本写真パネルや見本写真アルバムを閲覧して写真プリント注文票に注文情報を記入して注文を行う学校の生徒等の注文者２と、コンピュータ端末５ａ又は携帯電話機５ｂを用いて写真撮影業者３から提供される注文情報を受信し、承認／非承認の判断を行う生徒の親権者等の承認者５とにより構成され、写真撮影業者３と承認者５とはインターネット等の通信ネットワーク６を介して接続されている。また、ラボ４には、フィルムを現像する現像手段４ａと、フィルムからプリントを作成するプリント作成手段４ｂとを備えている。
【００２３】
また、図２に示すように、注文端末３ａには、注文情報の入力を行うための注文情報入力手段３ｂと、プリント枚数、プリントサイズ等から注文料金を計算する注文料金演算手段３ｃと、注文料金等の注文情報を記憶する注文情報記憶手段３ｄと、承認者５に送信する注文確認メールを作成する注文確認メール作成手段３ｅと、注文確認メールを送信する注文情報送信手段３ｆと、承認者５からの承認／非承認の情報を受信する承認情報受信手段３ｇとを備えている。
【００２４】
なお、以下の説明では、写真撮影業者３と承認者５との間で注文情報や承認／非承認の情報の通信を行う構成としているが、ラボ４と承認者５との間を通信ネットワーク６で接続してこれらの情報の通信を行う構成としてもよい。また、写真撮影を行う写真撮影業者３と写真プリントの作成を行うラボ４とを別々に構成しているが、この構成は説明を容易にするための便宜上の構成であり、ラボ４の店員が写真撮影を行う場合や写真撮影業者３が現像、写真プリントの作成を行う場合にはこれらを別々に構成する必要はなく、また、注文端末３ａを備える注文店を介してプリント注文を行う構成とすることもできる。
【００２５】
上記プリント注文承認システム１を用いて、写真撮影業者３に写真撮影を依頼してから注文者２が所望のプリントを入手するまでの手順について、図３のフローチャート図を参照して説明する。
【００２６】
まず、学校は修学旅行、運動会、入学式、卒業式等の行事を計画し、その計画を写真撮影業者３に通知する。そして、ステップＳ１０１で、写真撮影業者３は行事に同行して生徒が万遍なく写るようにスナップ写真や集合写真を撮影する。なお、本実施例のプリント注文承認方法で利用する写真は写真撮影業者３が撮影したもののみとしてもよいが、学校関係者（例えば、生徒や同行する先生、保護者等）が撮影した写真を利用してもよい。
【００２７】
次に、ステップＳ１０２で、ラボ４は写真撮影業者３から撮影した写真のフィルムを回収し、回収したフィルムを現像手段４ａを用いて現像し、プリント作成手段４ｂを用いて撮影順に見本写真をプリントする。この見本写真の裏面には、各々の見本写真を特定するための写真特定情報が印字され、更に、写真プリントを数焼きする際に見本写真と同じプリントが得られるように、色調、濃度等のプリントデータが印字されることが好ましい。
【００２８】
なお、ここでは、フィルムカメラを用いて写真を撮影し、ラボ４にてフィルムを現像する構成としているが、写真撮影業者３がデジタルカメラを用いて写真を撮影し、写真の画像データを記録媒体に記録して、又は通信ネットワークを介してラボ４に送り、ラボ４では受信した画像データに基づいてプリント作成手段４ｂで写真プリントを作成する構成としてもよく、また、フィルムカメラとデジタルカメラを併用する構成としてもよい。
【００２９】
次に、ステップＳ１０３で、ラボ４は見本写真を展示用シートに配列し、各々の見本写真近傍に見本写真の裏面に記載された写真特定情報を記載して、図４に示すような見本写真パネル７を作成する。この見本写真パネル７には、必要に応じて、学校名や行事名、撮影場所等の写真に関連する情報を記載してもよい。また、見本写真パネル７に代えて、又は見本写真パネル７と共に、見本写真８をロール状にプリントした見本写真シートや冊子状に整理した見本写真アルバムを作成してもよい。なお、見本写真パネル７は図の構成に限定されず、見本写真８と写真特定情報９とが対応付けて表示されていればよく、その配列、大きさ、配置等は任意に設定することができる。
【００３０】
次に、ステップＳ１０４で、ラボ４又は写真撮影業者３は作成した見本写真パネル７と写真プリント注文票とを学校に提供し、学校は見本写真パネル７を生徒が閲覧しやすい場所に掲示すると共に、各々の生徒に写真プリント注文票とプリント注文袋を配布する。
【００３１】
そして、ステップＳ１０５で、各々の生徒は見本写真パネル７に掲示された見本写真８を閲覧し、写真プリント注文票に注文情報を記入する。この写真プリント注文票１０ａは、例えば、図５に示すように構成され、学校名や写真撮影を行った行事名、生徒名、注文年月日などを記入する欄と、プリントを希望する見本写真８に対応する写真特定情報９、プリント枚数、プリントサイズ、プリント料金などを記入する欄とが設けられており、これらの項目に注文情報を記入して写真プリントの注文を行う（図では、写真特定情報０００１の写真をＬ版で１枚、写真特定情報０００２の写真をＬ版で２枚注文する場合を示している。）。なお、写真プリント注文票１０ａは図の構成に限定されず、少なくとも注文者２と注文情報（写真特定情報とプリント枚数等）を記入する欄が設けられていればよく、その構成は任意に設定することができる。
【００３２】
次に、ステップＳ１０６で、写真撮影業者３は注文情報が書き込まれた写真プリント注文票１０ａや見本写真パネル７を回収し、ステップＳ１０７で、写真プリント注文票１０ａに記入された注文情報を読み取って、注文情報入力手段３ｂを用いて注文端末３ａに入力した後、注文料金演算手段３ｃを用いてプリント枚数又はプリントサイズ等からプリント料金を計算して注文情報記憶手段３ｄに記憶する。そして、注文確認メール作成手段３ｅを用いて、プリント料金やプリント枚数、プリントサイズ、写真特定情報等の注文情報が記載された電子メール（注文確認メール）を作成し、注文情報送信手段３ｆを用いて、通信ネットワーク６を介してその注文確認メールを各々の注文者２に対応する承認者５に送信する。なお、承認者５の電子メールアドレスは、予め学校から写真撮影業者３に通知されているものとするが、写真プリント注文票１０ａに記入する構成としてもよい。また、承認者５に注文情報を通知する方法は電子メールに限らず、注文情報を理解できる方法であればよく、例えば、写真撮影業者３が管理するインターネットのサイト上で注文内容を確認できるようにしたり、ＦＡＸやはがきで注文情報を通知する構成とすることもできる。
【００３３】
次に、ステップＳ１０８で、各々の承認者５は通信ネットワーク６に接続されたコンピュータ端末５ａ又は携帯電話機５ｂ等を用いて注文情報が記載された電子メール（注文確認メール）を受信し注文内容を確認する。そして、ステップＳ１０９で注文を承認する場合は、ステップＳ１１０で注文を承認したことを示す電子メール（承認メール）を返信する。また、注文を承認しない場合は、必要に応じて、承認しない旨を示す電子メール（非承認メール）を返信してプリント注文を却下又は再注文待ちとする。なお、この承認／非承認の情報の通知方法も電子メールに限らず、上記サイト上で承認／非承認の情報を入力したり、ＦＡＸ、はがき、電話などで通知する構成とすることもできる。また、承認者５は、単に注文情報の承認／非承認を判断するのみならず、承認する場合に注文内容の変更ができるようにすることもできる。その場合は、変更した注文情報が記載された電子メール（注文情報変更メール）を作成して写真撮影業者３に返信すればよい。
【００３４】
次に、ステップＳ１１１で、写真撮影業者３は、承認情報受信手段３ｇを用いて承認メール、非承認メール、注文情報変更メールを受信し、承認された注文又は変更された注文についてのみ注文情報を集計してラボ４に送り、ステップＳ１１２で、ラボ４は集計された注文情報に基づいて、プリント作成手段４ｂを用いて所定の枚数の写真プリントを作成する。その際、見本写真８の裏面に記載されたプリントデータを用いることにより、見本写真８と同様の色調、濃度の写真プリントを作成することができる。また、文字入れ等の特別な要求がある場合には、注文の指示に従って記念文字やワンポイントイラスト等を挿入する。
【００３５】
その後、ステップＳ１１３で、ラボ４に予め設置された専用の仕分け手段を用いて、又は手作業で各々の注文に対応する写真プリントを袋詰めし、写真撮影業者３を介して、又は直接注文者２に納品する。そして、学校は各々の生徒に写真プリントを配布し、ステップＳ１１４で生徒から代金を徴収して写真撮影業者３に支払い、一連の写真プリント注文を終了する。なお、ここでは写真プリントの配布後にプリント代金を徴収する構成としているが、ステップＳ１１０で承認メールが送信された後の任意のステップで代金を徴収することができる。
【００３６】
このように、本実施例のプリント注文承認方法では、注文者２（生徒等）が注文に基づいてそのまま写真プリントが作成されるのではなく、注文者２が記入した注文情報（プリント料金、プリント枚数、プリントサイズ、写真特定情報等）が承認者５（生徒の親権者等）によって承認された場合のみプリントが作成されるため、不適切な注文に基づくプリント作成を簡単かつ確実に防止することができる。また、承認者５は、注文情報の承認／非承認を判断するのみならず、注文内容を変更した場合には変更された注文情報に従ってプリントが作成されるため、学校写真のプリント作成を円滑に遂行することができる。
【００３７】
上記説明は、写真プリント注文票１０ａに注文情報を手書きで記入する場合の方法であるが、注文情報を手書きで入力すると、写真撮影業者３で注文情報を通知する注文確認メールを作成する場合や、写真撮影業者３やラボ４で注文情報を集計する場合に注文情報を読み取って注文端末３ａに入力したり、スタッファ等を用いて読み取らなければならず、作業が繁雑になると共に、注文情報が不明瞭な場合には入力ミスが生じる恐れがある。そこで、注文情報の入力作業の効率化を図り入力ミスをなくすために、プリントを希望する写真を特定する情報やプリント枚数、プリントサイズ、注文者２を特定する情報などをバーコードなどのコード化情報として記録して、写真撮影業者３やラボ４に予め設けたコード化情報読み取り手段を用いて注文情報を自動的に読み取る構成とすることもできる。
【００３８】
以下、その方法について図面を参照して説明する。まず、第１の方法として、図６に示すような写真プリント注文票１０ｂとコード化情報記録シール１１ａとを用いる方法がある。具体的には、図６（ａ）に示すように、写真プリント注文票１０ｂに、コード化情報読み取り手段による自動読み取りが可能なようにコード化情報記録シールを貼付する位置を明示したコード化情報記録シール貼付領域１３ａと、学年、クラス、氏名等の注文者２に関する情報を記入する注文者情報記入欄１４とを設け、必要に応じて、学校に対して予め与えられた学校コードや各々の生徒に対して予め与えられた生徒コード等のコード化情報（注文者情報１４ａ）を記録する。
【００３９】
一方、図６（ｂ）に示すように、写真プリント注文票１０ｂに貼付するコード化情報記録シール１１ａには、例えば、見本写真８に対応する写真特定情報９を認識可能に明示すると共に、写真特定情報９をコード化して記録したバーコード１２を記録する。このコード化情報記録シール１１ａは台紙１１ｄから簡単に取り外すことができ、かつ、写真プリント注文票１０ｂに簡単に貼り付けられ、容易に脱離しないように裏面に粘着剤が配設されている。
【００４０】
そして、このコード化情報記録シール１１ａを写真プリント注文票１０ｂに順番に貼付することによりプリントの注文を行うことができる。例えば、写真識別情報が０００１の写真を１枚、写真識別情報が０００２の写真を２枚注文する場合は、図６（ａ）に示すようにコード化情報記録シール１１ａを貼付すればよい。
【００４１】
図６に示す構成は、コード化情報記録シール１１ａを写真プリント注文票１０ｂに貼付して注文する構成であるが、第２の方法として、図７に示すように写真特定情報９をコード化して記録した媒体（コード化情報記録媒体１１ｂ）を見本写真パネル７の各々の見本写真８に対応する位置に設けたホルダー１６に収納しておき、注文者２がホルダー１６からプリントを希望する見本写真８に対応するコード化情報記録媒体１１ｂを抜き取って写真プリント注文袋１７に直接入れて注文を行うこともできる。
【００４２】
また、図６又は図７に示す構成は写真特定情報９をコード化情報とする場合の構成であるが、第３の方法として、注文者２を特定する情報をコード化情報として記録することもできる。例えば、図８（ａ）に示すように、見本写真８毎に写真プリント注文票１０ｃを形成し、各々の写真プリント注文票１０ｃに、見本写真８を縮小したサムネイル画像１５と写真特定情報９とを記録し、コード化情報記録シールを貼付する位置を明示したコード化情報記録シール貼付領域１３ｂを設ける。また、各々の生徒には、注文者２を特定するための情報（例えば、図８では、学校コード”Ａ”と生徒コード”１１０”とからなる情報）を識別可能に明示すると共に、注文者特定情報をコード化して記録したバーコード１２が記録されたコード化情報記録シール１１ｃを提供する。
【００４３】
そして、見本写真８毎に設けた写真プリント注文票１０ｃを見本写真パネル７近傍に設置したり、生徒に回覧し、各々の生徒がプリントを希望する見本写真８に対応する写真プリント注文票１０ｃに、自分に割り当てられたコード化情報記録シール１１ｃを貼付することによりプリントの注文を行うことができる。例えば、写真識別情報が００１０の写真をＡ１１０の生徒が１枚、Ａ１１５の生徒が２枚注文する場合は、図８（ａ）に示すようにコード化情報記録シール１１ｃを貼付すればよい。
【００４４】
このようなコード化情報を利用する場合は、ステップＳ１０４で、ラボ４又は写真撮影業者３は作成した見本写真パネル７と写真プリント注文票１０ｂとコード化情報記録シール１１ａと（図７の構成の場合は見本写真パネル７ａ、図８の構成の場合は見本写真７と写真プリント注文票１０ｃとコード化情報記録シール１１ｃ）を学校に提供し、学校は見本写真パネル７（又は７ａ）を生徒が閲覧しやすい場所に掲示すると共に、各々の生徒にコード化情報記録シール１１ａ、１１ｃ、コード化情報記録媒体１１ｂを提供する。
【００４５】
そして、ステップＳ１０５で、各々の生徒は見本写真パネル７に掲示された見本写真８を閲覧し、所望の見本写真８を選択してその見本写真８に対応する写真特定情報が記載されているコード化情報記録シール１１ａを剥がし（又はコード化情報記録媒体１１ｂを取り出し）、写真プリント注文票１０ｂに順次貼り付けて（又は写真プリント注文袋１７に挿入して）写真プリントの注文を行うか、若しくは、見本写真８に対応する写真プリント注文票１０ｃに注文者特定情報が記載されているコード化情報記録シール１１ｃを貼り付けて写真プリントの注文を行う。
【００４６】
そして、ステップＳ１０７で、写真撮影業者３はコード化情報読み取り手段を用いて、コード化情報記録シール１１ａ、１１ｃ、コード化情報記録媒体１１ｂから注文情報を読み取って注文端末３ａの注文情報記憶手段３ｄに記憶する。また、注文料金演算手段３ｃを用いてプリント枚数又はプリントサイズ等からプリント料金を計算し、注文確認メール作成手段３ｅを用いてプリント料金やプリント枚数、プリントサイズ、写真特定情報等の注文情報が記載された電子メール（注文確認メール）を作成し、注文情報送信手段３ｆを用いて、通信ネットワーク６を介して各注文者２に対応する承認者５に送信する。また、ステップＳ１１１では、写真撮影業者３又はラボ４は、コード化情報読み取り手段を用いて、承認された注文又は変更された注文のコード化情報記録シール１１ａ、１１ｃ、コード化情報記録媒体１１ｂから注文情報を読み取って注文情報を集計する。
【００４７】
このようなコード化情報記録シール１１ａ、１１ｃ、コード化情報記録媒体１１ｂを用いることにより、注文情報の入力作業や集計作業を簡単にすることができ、本実施例のプリント注文承認システムをより効果的に運用することができる。
【実施例２】
【００４８】
次に、本発明の第２の実施例に係るプリント注文承認システム及びプリント注文承認方法について、図９乃至図１２を参照して説明する。図９は、第２の実施例に係るプリント注文承認システムの構成を模式的に示す図であり、図１０は、注文端末の構成を示すブロック図である。また、図１１は、写真プリント注文及び承認手順を示すフローチャート図であり、図１２は、写真プリント注文画面の構成例を示す図である。なお、本実施例は、注文者によるプリント注文をプリント注文票ではなく、コンピュータ端末や携帯電話機の画面上で行うことを特徴とするものである。
【００４９】
図９に示すように、本実施例のプリント注文承認システム１は、学校の行事に同行して写真を撮影すると共に注文端末３ａを用いてプリント注文を受け付ける写真撮影業者３と、撮影した写真のフィルムを回収し、見本写真をプリントして見本写真パネルや見本写真アルバムを作成したり、写真プリントの数焼きを行うラボ４と、提供された見本写真パネルや見本写真アルバムを閲覧し、コンピュータ端末２ａや携帯電話機２ｂなどを用いて写真プリント注文画面に注文情報を入力してプリント注文を行う学校の生徒等の注文者２と、コンピュータ端末５ａ又は携帯電話機５ｂを用いて写真撮影業者３から提供される注文情報を受信し承認／非承認の判断を行う生徒の親権者等の承認者５とにより構成され、写真撮影業者３と注文者２と承認者５とはインターネット等の通信ネットワーク６を介して接続されている。
【００５０】
また、注文端末３ａには、注文者２のコンピュータ端末２ａや携帯電話機２ｂから送信された注文情報を受信する注文情報受信手段３ｈと、プリント枚数、プリントサイズ等からプリント料金を計算する注文料金演算手段３ｃと、プリント料金等の注文情報を記憶する注文情報記憶手段３ｄと、承認者５に送信する注文確認メールを作成する注文確認メール作成手段３ｅと、注文確認メールを送信する注文情報送信手段３ｆと、承認者５からの承認／非承認の情報を受信する承認情報受信手段３ｇとを備えている。
【００５１】
上記プリント注文承認システム１を用いて、写真撮影業者３に写真撮影を依頼してから注文者２が所望のプリントを入手するまでの手順について、図１１のフローチャート図を参照して説明する。
【００５２】
第１の実施例と同様に、ステップＳ２０１で、写真撮影業者３は修学旅行、運動会、入学式、卒業式等の行事に同行して生徒が万遍なく写るようにスナップ写真や集合写真を撮影する。次に、ステップＳ２０２で、ラボ４は写真撮影業者３から撮影した写真のフィルムを回収し、回収したフィルムを現像手段４ａを用いて現像し、プリント作成手段４ｂを用いて撮影順に見本写真をプリントする。
【００５３】
次に、ステップＳ２０３で、ラボ４は見本写真を展示用シートに配列し、各々の見本写真近傍に見本写真の裏面に記載された写真特定情報を記載して見本写真パネル７（又は見本写真シートや見本写真アルバム）を作成する。次に、ステップＳ２０４で、ラボ４又は写真撮影業者３は作成した見本写真パネル７を学校に提供し、学校は見本写真パネル７を生徒が閲覧しやすい場所に掲示すると共に、プリント注文に際して必要となる、注文を特定するための注文ＩＤや注文者２を特定するための注文者ＩＤ、パスワード等の情報を提供する。
【００５４】
そして、ステップＳ２０５で、各々の生徒は見本写真パネル７に掲示された見本写真８を閲覧し、プリント注文する写真を選択した後、コンピュータ端末２ａや携帯電話機２ｂを用いて予め指定されたサイトにアクセスして、モニタに表示される写真プリント注文画面に注文情報を記入する。携帯電話機２ｂの写真プリント注文画面１８は、例えば図１２に示すように構成され、注文ＩＤ、注文者ＩＤ、パスワードなどを記入する欄と、プリントを希望する見本写真８に対応する写真特定情報９とプリント枚数などを記入する欄とが設けられている。そして、注文ＩＤ、注文者ＩＤ、パスワードなどを入力して認証された後、写真特定情報（図では写真番号）及びプリント枚数などの注文情報を記入して写真プリントの注文を行う。例えば、写真番号０００１の写真を１枚、写真番号０００２の写真を２枚注文する場合は図１２に示すように入力すればよい。なお、ここでは、写真撮影業者３のサイトにアクセスして写真プリント注文画面１８に注文情報を記入する構成としているが、上記注文ＩＤや注文者ＩＤ、注文情報などを予め定められたフォーマットで入力した後、電子メールとして予め設定されたアドレスに送信する構成としてもよい。
【００５５】
次に、ステップＳ２０６で、写真撮影業者３は見本写真パネル７を回収し、ステップＳ２０７で、注文情報受信手段３ｈを用いて、写真プリント注文画面１８（又は送信された注文メール）から注文情報を読み取った後、注文料金演算手段３ｃを用いてプリント枚数又はプリントサイズ等からプリント料金を計算して注文情報記憶手段３ｄに記憶する。そして、注文確認メール作成手段３ｅを用いて、プリント料金やプリント枚数、プリントサイズ、写真特定情報等の注文情報が記載された電子メール（注文確認メール）を作成し、注文情報送信手段３ｆを用いて、通信ネットワーク６を介してその注文確認メールを各々の注文者２に対応する承認者５に送信する。なお、第１の実施例と同様に、承認者５に注文情報を通知する方法は電子メールに限らず、例えば、写真撮影業者３が管理するインターネットのサイト上で注文内容を確認できるようにしたり、ＦＡＸやはがきで注文情報を通知する構成とすることもできる。
【００５６】
次に、ステップＳ２０８で、各々の承認者５は通信ネットワーク６に接続されたコンピュータ端末５ａ又は携帯電話機５ｂ等を用いて注文情報が記載された電子メール（注文確認メール）を受信し注文内容を確認する。そして、ステップＳ２０９で注文を承認する場合は、ステップＳ２１０で注文を承認したことを示す電子メール（承認メール）を返信する。また、注文を承認しない場合は、承認しない旨を示す電子メール（非承認メール）を返信してプリント注文を却下又は再注文待ちとする。なお、第１の実施例と同様に、この承認／非承認の情報の通知方法も電子メールに限らず、上記サイト上で承認／非承認の情報を入力したり、ＦＡＸ、はがき、電話などで通知する構成とすることもでき、また、変更した注文情報が記載された電子メール（注文情報変更メール）を送信して、注文内容の変更ができるようにすることもできる。
【００５７】
次に、ステップＳ２１１で、写真撮影業者３は、承認情報受信手段３ｇを用いて承認メール、非承認メール、注文情報変更メールを受信し、承認された注文又は変更された注文についてのみ注文情報を集計してラボ４に送り、ステップＳ２１２で、ラボ４は集計された注文情報に基づいて、プリント作成手段４ｂを用いて所定の枚数の写真プリントを作成する。その後、ステップＳ２１３で、ラボ４に予め設置された専用の仕分け手段を用いて、又は手作業で各々の注文に対応する写真プリントを袋詰めし、写真撮影業者３を介して、又は直接注文者２に納品する。そして、学校は各々の生徒に写真プリントを配布し、ステップＳ１１４で生徒から代金を徴収して写真撮影業者３に支払い、一連の写真プリント注文を終了する。
【００５８】
このように、本実施例のプリント注文承認システム及びプリント注文承認方法によれば、注文者２は写真プリント注文票に注文情報を書き込んで注文を行うのではなく、コンピュータ端末２ａや携帯電話機２ｂの写真プリント注文画面１８に注文情報を記入したり、予め定められたフォーマットで注文情報を入力した電子メールを送信して注文を行うため、注文者２にとっては注文作業を簡単にすることができ、写真撮影業者３やラボ４にとっては注文情報を再度、注文端末３ａに入力する必要がなくなり、学校写真のプリント作成を円滑に遂行することができる。
【００５９】
なお、上記各実施例では、注文者２を学校の生徒、承認者５を生徒の親権者とする場合について示したが、本発明は上記実施例に限定されるものではなく、注文者２とは異なる者の承認が得られた場合に注文を有効とする任意のシステムに適用することができる。また、本発明のプリント注文承認方法を学校の行事で撮影される学校写真の注文に適用したが、写真撮影業者が撮影した写真を複数の顧客が利用する任意の形態に適用することができる。
【図面の簡単な説明】
【００６０】
【図１】本発明の第１の実施例に係るプリント注文承認システムの構成を示す図である。
【図２】本発明の第１の実施例に係る注文端末の構成を示すブロック図である。
【図３】本発明の第１の実施例に係るプリント注文承認の手順を示すフローチャート図である。
【図４】本発明の第１の実施例に係る見本写真パネルの構成を示す図である。
【図５】本発明の第１の実施例に係る写真プリント注文票の構成を示す図である。
【図６（ａ）】本発明の第１の実施例に係る写真プリント注文票の構成を示す図である。
【図６（ｂ）】本発明の第１の実施例に係るコード化情報記録シールの構成を示す図である。
【図７（ａ）】本発明の第１の実施例に係る見本写真パネルの構成を示す図である。
【図７（ｂ）】本発明の第１の実施例に係る写真プリント注文袋の構成を示す図である。
【図８（ａ）】本発明の第１の実施例に係る写真プリント注文票の構成を示す図である。
【図８（ｂ）】本発明の第１の実施例に係るコード化情報記録シールの構成を示す図である。
【図９】本発明の第２の実施例に係るプリント注文承認システムの構成を示す図である。
【図１０】本発明の第２の実施例に係る注文端末の構成を示すブロック図である。
【図１１】本発明の第２の実施例に係るプリント注文承認の手順を示すフローチャート図である。
【図１２】本発明の第２の実施例に係る写真プリント注文画面の構成を示す図である。
【符号の説明】
【００６１】
１  プリント注文承認システム
２  注文者（生徒）
２ａ  コンピュータ端末
２ｂ  携帯電話機
３  写真撮影業者
３ａ  注文端末
３ｂ  注文情報入力手段
３ｃ  注文料金演算手段
３ｄ  注文情報記憶手段
３ｅ  注文確認メール作成手段
３ｆ  注文情報送信手段
３ｇ  承認情報受信手段
３ｈ  注文情報受信手段
４  ラボ
４ａ  現像手段
４ｂ  プリント作成手段
５  承認者（親権者）
５ａ  コンピュータ端末
５ｂ  携帯電話機
６  通信ネットワーク
７  見本写真パネル
８  見本写真
９  写真特定情報
１０ａ、１０ｂ、１０ｃ  写真プリント注文票
１１ａ、１１ｃ  コード化情報記録シール
１１ｂ  コード化情報記録媒体
１１ｄ  台紙
１２  バーコード
１３ａ、１３ｂ  コード化情報記録シール貼付領域
１４  注文者情報記入欄
１４ａ  注文者情報
１５  サムネイル画像
１６  ホルダー
１７  写真プリント注文袋
１８  写真プリント注文画面
【図１】
2005063006.tif 000003
【図２】
2005063006.tif 000004
【図３】
2005063006.tif 000005
【図４】
2005063006.tif 000006
【図５】
2005063006.tif 000007
【図６（ａ）】
2005063006.tif 000008
【図６（ｂ）】
2005063006.tif 000009
【図７（ａ）】
2005063006.tif 000010
【図７（ｂ）】
2005063006.tif 000011
【図８（ａ）】
2005063006.tif 000012
【図８（ｂ）】
2005063006.tif 000013
【図９】
2005063006.tif 000014
【図１０】
2005063006.tif 000015
【図１１】
2005063006.tif 000016
【図１２】
2005063006.tif 000017